(57)【要約】【課題】  従来のボトル類の首部に吊り下げたり、貼り付けたりしたものは、ボトル類胴部の外周よりも膨出しており、その為、ボトル類の搬送や収納、陳列時にボトル類胴部と隣り合うボトル類胴部との間に入ったり、ボトル類胴部と収納容器との間に入り邪魔になっていた。【解決手段】  本考案は、ボトル類の首部を挿通させる円孔２を形成した可撓性のシート１と、シート１の円孔２の縁部からボトル類の首部の外周とボトル類胴部の外周との間隔より巾狭に形成した間隔片３と、シート１の他辺に形成した販促品を収納するための袋状収納部５と、袋状収納部５に形成した折れ線６と、折れ線６と接着部４との間に袋状収納部５の辺の長さの略半分の巾を有した折り返し片７と、折り返し片７を折れ線６で折り曲げることにより接着部４と接着する袋状収納部５に設けた袋側接着部８とを備えた。【選択図】図１
0003122615.tif 000002
【実用新案登録請求の範囲】
【請求項１】
ボトル類の首部に装着するボトル類用販促品の収納具であって、長手方向の一辺にボトル類の首部を挿通させる円孔を形成した可撓性のシートと、該シートの円孔の縁部から前記ボトル類の首部の外周とボトル類胴部の外周との間隔より巾狭に形成した間隔片と、該間隔片の他辺側に設けた接着部と、前記シートの長手方向の他辺に形成した販促品を収納するための矩形状の袋状収納部と、該袋状収納部の一辺側に形成した折れ線と、該折れ線と前記接着部との間に前記袋状収納部の辺の長さの略半分の巾を有した折り返し片と、該折り返し片を前記折れ線で折り曲げることにより前記接着部と接着する袋状収納部に設けた袋側接着部とを備えたことを特徴とするボトル類用販促品の収納具。
【請求項２】
ボトル類の首部に装着するボトル類用販促品の収納具であって、長手方向の一辺にボトル類の首部を挿通させる円孔を形成した可撓性のシートと、該シートの円孔の縁部から前記ボトル類の首部の外周とボトル類胴部の外周との間隔より巾狭に形成した間隔片と、該間隔片の他辺側に設けた接着部と、前記シートの長手方向の他辺に形成した販促品を収納するための矩形状の袋状収納部と、該袋状収納部の一辺側に形成した湾曲部と、該湾曲部と前記接着部との間に前記袋状収納部の辺の長さの略半分の巾を有した折り返し片と、該折り返し片を前記湾曲部で湾曲させることにより前記接着部と接着する袋状収納部に設けた袋側接着部とを備えたことを特徴とするボトル類用販促品の収納具。
【請求項３】
ボトル類の首部に装着するボトル類用販促品の収納具であって、長手方向の一辺にボトル類の首部を挿通させる円孔を形成した可撓性のシートと、該シートの円孔の縁部から前記ボトル類の首部の外周とボトル類胴部の外周との間隔より巾狭に形成した間隔片と、該間隔片の他辺に設けた接着部と、可撓性のシートで形成した販促品を収納するための矩形状の袋状収納部と、前記接着部と接着させる袋状収納部の辺の長さの略半分の位置に設けた袋側接着部とを備えたことを特徴とするボトル類用販促品の収納具。
【請求項４】
ボトル類の首部に装着するボトル類用販促品の収納具であって、両端辺にボトル類の首部を挿通させる円孔を夫々形成した可撓性のシートと、該シートの夫々の円孔の縁部から前記ボトル類の首部の外周とボトル類胴部の外周との間隔より巾狭に延設した夫々の間隔片と、該夫々の間隔片に延設した販促品を収納するための矩形状の袋状収納部とを備え、前記袋状収納部は縁辺を接着又は溶着すると共に略中央に前記夫々の間隔片を立設させ、夫々の間隔片を接着又は溶着させたことを特徴とするボトル類用販促品の収納具。
【請求項５】
ボトル類の首部に装着するボトル類用販促品の収納具であって、中程に折れ線を介装して両側にボトル類の首部を挿通させる円孔を夫々形成した可撓性のシートと、該シートの夫々の円孔の縁部から前記ボトル類の首部の外周とボトル類胴部の外周との間隔より巾狭に延設した夫々の間隔片と、該夫々の間隔片の両側に夫々延設した販促品を収納するための矩形状の袋状収納部とを備え、前記袋状収納部は短辺と折れ線を介装した長辺とに形成すると共に展開状態の長手方向の両側の縁辺を接着又は溶着し、略中央に前記夫々の間隔片を立設させ、夫々の間隔片と夫々の円孔の周辺とを接着又は溶着させたことを特徴とするボトル類用販促品の収納具。
【請求項６】
前記円孔の内周に放射状に複数のスリットを刻設したことを特徴とする請求項１乃至請求項５に記載のボトル類用販促品の収納具。
【考案の詳細な説明】
【技術分野】
【０００１】  本考案は、ペットボトル又は瓶等のボトル類の首部に装着するボトル類用販促品の収納具に関するものであり、更に詳細には、ボトル類の首部に装着してもボトル類胴部の外周よりも膨出することなくコンパクトに装着できるボトル類用販促品の収納具に関するものである。
【背景技術】
【０００２】  従来、この種のペットボトル又は瓶等のボトル類は飲料水や液体調味料等を充填してコンビニエンスストア、スーパーマーケット、自動販売機で大量に市販されており、多数のメーカーが参入し、然も、他種類が販売され、乱売状態で販売されており、その為、各メーカーではキャンペーンを画策してボトル類に販促品を付設して販売することが頻繁に行われているが、紙の台紙に販促品を載置して透明なシート等で貼り付けてボトル類の首部が挿通する貫通孔を形成して付設したり、透明な袋に販促品を収納して貼付けや紐等でぶら下げていた。【０００３】  又、ボトル類のキャップの外側に空所を有したカップ状物を嵌着して、前記空所にキャラクター等の景品を収納して販売していた。（特許文献１）
【特許文献１】特開２００２−８７４９５号公報（第５頁、図５）
【考案の開示】
【考案が解決しようとする課題】
【０００４】  然し乍ら、従来のボトル類の首部に吊り下げたり、貼り付けたりしたものは図１０に図示の如く、ボトル類胴部の外周よりも膨出しており、その為、ボトル類の搬送や収納、陳列時にボトル類胴部と隣り合うボトル類胴部との間に入ったり、ボトル類胴部と収納容器との間に入り邪魔になっており、陳列時に規定されたスペースに規定された数のボトル類が置けなくなったり、又、ボトル類のキャップの外側に空所を有したカップ状物を嵌着して、前記空所に景品等を収納しているものは、マスコット等の小物の収納は可能であるが、食品や液状、粒状の商品には不向きなものである。
【課題を解決するための手段】
【０００５】  本考案は、前述の課題に鑑み、鋭意研鑽の結果、請求項１に記載のボトル類用販促品の収納具は、一辺に円孔を形成した可撓性のシートと、シートの円孔の縁部からボトル類の首部の外周とボトル類胴部の外周との間隔より巾狭に形成した間隔片と、間隔片の他辺側に設けた接着部と、シートの他辺に形成した販促品を収納するための袋状収納部と、袋状収納部の一辺側に形成した折れ線と、折れ線と接着部との間に袋状収納部の辺の長さの略半分の巾を有した折り返し片と、折り返し片を折れ線で折り曲げることにより接着部と接着する袋状収納部に設けた袋側接着部とを備えたものである。【０００６】  更に、請求項２に記載のボトル類用販促品の収納具は、一辺に円孔を形成した可撓性のシートと、シートの円孔の縁部からボトル類の首部の外周とボトル類胴部の外周との間隔より巾狭に形成した間隔片と、間隔片の他辺側に設けた接着部と、シートの他辺に形成した販促品を収納するための袋状収納部と、袋状収納部の一辺側に形成した湾曲部と、湾曲部と接着部との間に袋状収納部の辺の長さの略半分の巾を有した折り返し片と、折り返し片を湾曲部で湾曲させることにより接着部と接着する袋状収納部に設けた袋側接着部とを備えたものである。【０００７】  更には、請求項３に記載のボトル類用販促品の収納具は、一辺に円孔を形成した可撓性のシートと、シートの円孔の縁部からボトル類の首部の外周とボトル類胴部の外周との間隔より巾狭に形成した間隔片と、間隔片の他辺に設けた接着部と、可撓性のシートで形成した販促品を収納するための袋状収納部と、接着部と接着させる袋状収納部の辺の長さの略半分の位置に設けた袋側接着部とを備えたものである。【０００８】  更には、請求項４に記載のボトル類用販促品の収納具は、両端辺にボトル類の首部を挿通させる円孔を夫々形成した可撓性のシートと、シートの夫々の円孔の縁部からボトル類の首部の外周とボトル類胴部の外周との間隔より巾狭に延設した間隔片と、間隔片に延設した販促品を収納するための袋状収納部とを備え、袋状収納部は縁辺を接着又は溶着すると共に略中央に間隔片を立設させ、間隔片を接着又は溶着させたものである。【０００９】  更には、請求項５に記載のボトル類用販促品の収納具は、中程に折れ線を介装して両側にボトル類の首部を挿通させる円孔を形成した可撓性のシートと、シートの円孔の縁部からボトル類の首部の外周とボトル類胴部の外周との間隔より巾狭に延設した間隔片と、間隔片の両側に延設した販促品を収納するための袋状収納部とを備え、袋状収納部は短辺と折れ線を介装した長辺とに形成すると共に両側の縁辺を接着又は溶着し、略中央に間隔片を立設させ、間隔片と円孔の周辺とを接着又は溶着させたものである。【００１０】  更には、請求項６に記載のボトル類用販促品の収納具は、請求項１乃至請求項５に記載のボトル類用販促品の収納具において、円孔の内周に放射状に複数のスリットを刻設したものである。
【考案の効果】
【００１１】  本考案のボトル類用販促品の収納具は、前述の構成により、ボトル類の首部を円孔に挿通させて販促品を収納した袋状収納部を装着した場合、ボトル類胴部の外周に膨出することなく、従って、陳列時には従来のスペースに従来と同様に陳列できると共に、搬送、収納等も従来と同様にできるものであり、更には、可撓性のシートのみで形成できるもので容易に且つ廉価に提供できる画期的で実用性の高い考案である。
【考案を実施するための最良の形態】
【００１２】  本考案は、ペットボトル又は瓶等のボトル類の首部に装着するボトル類用販促品の収納具に関するものであり、更に詳細には、ボトル類の首部に装着してもボトル類胴部の外周よりも膨出することなくコンパクトに装着できるボトル類用販促品の収納具に関するものであり、請求項１に記載のボトル類用販促品の収納具は、ボトル類の首部に装着するボトル類用販促品の収納具であって、長手方向の一辺にボトル類の首部を挿通させる円孔２を形成した可撓性のシート１と、該シート１の円孔２の縁部から前記ボトル類の首部の外周とボトル類胴部の外周との間隔より巾狭に形成した間隔片３と、該間隔片３の他辺側に設けた接着部４と、前記シート１の長手方向の他辺に形成した販促品を収納するための矩形状の袋状収納部５と、該袋状収納部５の一辺側に形成した折れ線６と、該折れ線６と前記接着部４との間に前記袋状収納部５の辺の長さの略半分の巾を有した折り返し片７と、該折り返し片７を前記折れ線６で折り曲げることにより前記接着部４と接着する袋状収納部５に設けた袋側接着部８とを備えたものである。【００１３】  更に、請求項２に記載のボトル類用販促品の収納具は、ボトル類の首部に装着するボトル類用販促品の収納具であって、長手方向の一辺にボトル類の首部を挿通させる円孔２を形成した可撓性のシート１と、該シート１の円孔２の縁部から前記ボトル類の首部の外周とボトル類胴部の外周との間隔より巾狭に形成した間隔片３と、該間隔片３の他辺側に設けた接着部４と、前記シート１の長手方向の他辺に形成した販促品を収納するための矩形状の袋状収納部５と、該袋状収納部５の一辺側に形成した湾曲部６ａと、該湾曲部６ａと前記接着部４との間に前記袋状収納部５の辺の長さの略半分の巾を有した折り返し片７と、該折り返し片７を前記湾曲部６ａで湾曲させることにより前記接着部４と接着する袋状収納部５に設けた袋側接着部８とを備えたものである。【００１４】  更には、請求項３に記載のボトル類用販促品の収納具は、ボトル類の首部に装着するボトル類用販促品の収納具であって、一辺にボトル類の首部を挿通させる円孔２を形成した可撓性のシート１と、該シート１の円孔２の縁部から前記ボトル類の首部の外周とボトル類胴部の外周との間隔より巾狭に形成した間隔片３と、該間隔片３の他辺に設けた接着部４と、可撓性のシート１で形成した販促品を収納するための矩形状の袋状収納部５と、前記接着部４と接着させる袋状収納部５の辺の長さの略半分の位置に設けた袋側接着部８とを備えたものである。【００１５】  更には、請求項４に記載のボトル類用販促品の収納具は、ボトル類の首部に装着するボトル類用販促品の収納具であって、長手方向の両端辺にボトル類の首部を挿通させる円孔２を夫々形成した可撓性のシート１と、該シート１の夫々の円孔２の縁部から前記ボトル類の首部の外周とボトル類胴部の外周との間隔より巾狭に延設した夫々の間隔片３と、該夫々の間隔片３に延設した販促品を収納するための矩形状の袋状収納部５とを備え、前記袋状収納部５は縁辺を接着又は溶着すると共に略中央に前記夫々の間隔片３を立設させ、夫々の間隔片３を接着又は溶着させたものである。【００１６】  更には、請求項５に記載のボトル��用販促品の収納具は、ボトル類の首部に装着するボトル類用販促品の収納具であって、中程に折れ線６を介装して両側にボトル類の首部を挿通させる円孔２を夫々形成した可撓性のシート１と、該シート１の夫々の円孔２の縁部から前記ボトル類の首部の外周とボトル類胴部の外周との間隔より巾狭に延設した夫々の間隔片３と、該夫々の間隔片３の両側に夫々延設した販促品を収納するための矩形状の袋状収納部５とを備え、前記袋状収納部５は短辺５ａと折れ線６を介装した長辺５ｂとに形成すると共に展開状態の長手方向の両側の縁辺を接着又は溶着し、略中央に前記夫々の間隔片３を立設させ、夫々の間隔片３と夫々の円孔２の周辺とを接着又は溶着させたものである。【００１７】  更には、請求項６に記載のボトル類用販促品の収納具は、請求項１乃至請求項５に記載のボトル類用販促品の収納具において、前記円孔２の内周に放射状に複数のスリット９を刻設したものである。
【実施例】
【００１８】  以下、本考案のボトル類用販促品の収納具の実施例の図面によって具体的に説明すると、図１は本考案のボトル類用販促品の収納具の実施例１を説明するための展開図であり、図２は本考案のボトル類用販促品の収納具の実施例１を説明するための側面図であり、図３は本考案のボトル類用販促品の収納具の実施例２を説明するための展開図であり、図４は本考案のボトル類用販促品の収納具の実施例２を説明するための側面図であり、図５は本考案のボトル類用販促品の収納具の実施例３を説明するための展開図であり、図６は本考案のボトル類用販促品の収納具の実施例３を説明するための側面図であり、図７は本考案のボトル類用販促品の収納具の実施例４を説明するための展開図であり、図８は本考案のボトル類用販促品の収納具の実施例４を説明するための側面図であり、図９は本考案のボトル類用販促品の収納具の実施例５を説明するための展開図であり、図１０は本考案のボトル類用販促品の収納具の実施例５を説明するための側面図であり、図１１は本考案のボトル類用販促品の収納具の装着状態の説明図であり、図１２は従来のボトル類用販促品の収納具の装着状態の説明図である。【００１９】  即ち、本考案のボトル類用販促品の収納具を装着するボトル類とは、汎用されているプラスチック製のペットボトル、ガラス製の瓶等のことであり、コーラ、ジュース、コーヒー、お茶等の飲料水、又は、醤油、食用油等の液体調味料等を充填して、コンビニエンスストアー、スーパーマーケット、自動販売機等で販売されているものであり、載置するための底部と筒状のボトル類胴部と上方に窄まる肩部と肩部の上方の首部と上端に開口させた口部とから成り、口部をキャップで閉蓋しているものである。【００２０】  そして、本考案のボトル類用販促品の収納具の実施例１は、図１乃至図２に図示するもので、可撓性のシート１はポリエチレンフィルム、ポリプロピレンフィルム等の透明、不透明のものであり、更には、収納する販促品によってはアルミ箔等を積層するものである。【００２１】  次に、円孔２は可撓性のシート１の長手方向の一辺に形成してボトル類の首部を挿通させるものであり、首部の径と略同じが若干大径に穿設しているもので、ボトル類の首部にから抜け落ちない程度にしているものであり、外方は円孔２に沿って半円状に切断しているものである。【００２２】  次いで、間隔片３は円孔２の縁部と後述する接着部４との間に設けているもので、その巾はボトル類の首部の外周とボトル類胴部の外周との間隔より巾狭としているものである。【００２３】  更に、接着部４は円孔２と間隔片３を介して他辺側に設けているもので、後述する袋側接着部８と接着させるものであり、接着剤や両面接着テープ等による接着、又は、ヒートシール、超音波シール等のシール手段によって接着するものである。【００２４】  更には、袋状収納部５は販促品を収納するために略正方形の矩形状に形成されたもので、他辺側を折り返し両側をシールして、販促品を収納すると共に、一辺側をシールして密閉するものでも、一面を矩形状の切断された可撓性のシート１で形成し、四辺をシールして密閉し袋状収納部５を形成しても構わないものである。【００２５】  そして、折れ��６は袋状収納部５の一辺側と後述する折り返し片７との間に形成しているもので、折り返し片７を袋状収納部５側に折り返すためのものである。【００２６】  次いで、折り返し片７は折れ線６と接着部４との間に設けられているもので、袋状収納部５の辺の長さの略半分の巾を有しており、接着部４を後述する袋側接着部８と合致させるものである。【００２７】  次に、袋側接着部８は前記接着部４と接着するもので、袋状収納部５の辺の長さの略半分の位置に設けているものであり、接着部４に接着剤等を貼付した場合は袋側接着部８は単なる袋状収納部５の表面となるものである。【００２８】  つまり、本考案のボトル類用販促品の収納具は、円孔２にボトル類の首部を挿通させると、間隔片３がボトル類の首部の外周とボトル類胴部の外周の間隔より巾狭としているため、袋状収納部５がボトル類胴部の外方に膨出しないものである。【００２９】  更に、本考案のボトル類用販促品の収納具の実施例２では、図３乃至図４に図示する如く、実施例１の折れ線６を排して、可撓性のシート１の材料特性を利して湾曲する湾曲部としたものであり、装着状態、及び、作用効果等は同様であり、詳述は省略するものである。【００３０】  更には、本考案のボトル類用販促品の収納具の実施例３では、図５乃至図６に図示する如く、前述の実施例１の折れ線６と折り返し片７、又は、実施例２の湾曲部６ａと折り返し片７とを省略したもので、２枚の可撓性のシート１で構成され、接着部４と袋側接着部８とを接着させたものである。【００３１】  そして、販促品を収納するための略正方形の袋状収納部５と、接着部４と接着させる袋状収納部５の辺の長さの略半分の位置に設けた袋側接着部８と一体又は二枚の可撓性のシート１で形成しているものであり、装着状態、及び、作用効果等は同様であり、詳述は省略するものである。【００３２】  更に、本考案のボトル類用販促品の収納具の実施例４では、図７乃至図８に図示する如く、前述の実施例３の接着部４と袋側接着部８とを排除したもので、夫々の間隔片３と販促品を収納するための袋状収納部５とを連続した一枚の可撓性のシート１で形成したものであり、夫々の間隔片３を接着又は溶着させると共に、袋状収納部５は販促品を収納後両側の縁辺を接着又は溶着するものである。【００３３】  更に、袋状収納部は連続した一枚の可撓性のシート１で無く、端辺を切断された二枚のシート１で構成することも可能であり、例えば、８図に図示する袋状収納部５の右の端辺を切断させて、袋状収納部５の一部と片方の間隔片３と円孔２を一枚のシート１で形成し、もう一枚のシート１で残りの袋状収納部５と他方の間隔片３と円孔２を形成して構成することも可能である。【００３４】  加えて、本考案のボトル類用販促品の収納具の実施例５では、図９乃至図１０に図示する如く、可撓性のシート１の中程に折れ線６を介装して両側にボトル類の首部を挿通させる円孔２を夫々形成しており、夫々の間隔片３は夫々の円孔２の縁部からボトル類の首部の外周とボトル類胴部の外周との間隔より巾狭に延設しており、販促品を収納するための矩形状の袋状収納部５は夫々の間隔片３の両側に夫々延設しているものである。【００３５】  そして、袋状収納部５を短辺５ａと折れ線６を介装した長辺５ｂとに形成するもので、つまり、下面となる長辺５ｂと折れ線６で折り返して上面となる長辺５ｂと、間隔片３を介装した反対側の上面となる短辺５ａとを延設した、展開状態の長手方向の両側の縁辺を接着又は溶着したもので、一辺は開口されているものであり、この場合、袋状収納部５の開口辺は販促品を収納した後に接着、溶着等の手段によって封鎖するものである。【００３６】  次いで、略中央に夫々の間隔片３を立設させ、夫々の間隔片３と夫々の円孔２の周辺とを接着又は溶着させたものである。【００３７】  更には、前述の実施例１乃至実施例５に記載ボトル類用販促品の収納具の円孔２の内周に放射状且つ等間隔に複数のスリット９を刻設したものであり、円孔２の内周に刻設した複数のスリット９によって複数の舌片が形成され、舌片の程良い弾力により係止され抜落すること皆無となるものである。
【産業上の利用可能性】
【００３８】  本考案のボトル類用販促品の収納具は、ボトル類の首部を挿通させる円孔２の縁部からボトル類の首部の外周とボトル類胴部の外周との間隔より巾狭とした間隔片を延設して接着部を設けたことと、略正方形の袋状収納部の辺の長さの略半分の位置に袋側接着部を設けて接着したことによって、販促品を収納した袋状収納部はボトル類胴部の外周より膨出しないもので、現状の流通形態にそのまま使用できるものである。
【図面の簡単な説明】
【００３９】
【図１】  図１は本考案のボトル類用販促品の収納具の実施例１を説明するための展開図である。
【図２】  図２は本考案のボトル類用販促品の収納具の実施例１を説明するための側面図である。
【図３】  図３は本考案のボトル類用販促品の収納具の実施例２を説明するための展開図である。
【図４】  図４は本考案のボトル類用販促品の収納具の実施例２を説明するための側面図である。
【図５】  図５は本考案のボトル類用販促品の収納具の実施例３を説明するための展開図である。
【図６】  図６は本考案のボトル類用販促品の収納具の実施例３を説明するための側面図である。
【図７】  図７は本考案のボトル類用販促品の収納具の実施例４を説明するための展開図である。
【図８】  図８は本考案のボトル類用販促品の収納具の実施例４を説明するための側面図である。
【図９】  図９は本考案のボトル類用販促品の収納具の実施例５を説明するための展開図である。
【図１０】  図１０は本考案のボトル類用販促品の収納具の実施例５を説明するための側面図である。
【図１１】  図１１は本考案のボトル類用販促品の収納具の装着状態の説明図である。
【図１２】  図１２は従来のボトル類用販促品の収納具の装着状態の説明図である。
【符号の説明】
【００４０】  １      シート
２      円孔
３      間隔片
４      接着部
５      袋状収納部
５ａ    短辺
５ｂ    長辺
６      折れ線
６ａ    湾曲部
７      折り返し片
８      袋側接着部
９      スリット
【図１】
0003122615.tif 000003
【図２】
0003122615.tif 000004
【図３】
0003122615.tif 000005
【図４】
0003122615.tif 000006
【図５】
0003122615.tif 000007
【図６】
0003122615.tif 000008
【図７】
0003122615.tif 000009
【図８】
0003122615.tif 000010
【図９】
0003122615.tif 000011
【図１０】
0003122615.tif 000012
【図１１】
0003122615.tif 000013
【図１２】
0003122615.tif 000014
【手続補正書】
【提出日】平成18年4月11日(2006.4.11)
【手続補正１】
【補正対象書類名】実用新案登録請求の範囲
【補正対象項目名】請求項６
【補正方法】変更
【補正の内容】
【請求項６】
前記円孔の内周に放射状に複数のスリットを刻設したことを特徴とする請求項１〜５のいずれか一項に記載のボトル類用販促品収納具。